(57)【要約】【課題】  構造が比較的簡単であり、成形が容易であり、ほたて貝耳吊用ハンガーの母線への取り付け作業およびハンガーへの稚貝の固定作業も容易にできるばかりでなく、ほたて貝の養殖において、稚貝の脱離が非常に少ないほたて貝耳吊用ハンガーを提供する。【解決手段】  ほたて貝耳吊用ハンガーの、貝の取り付け部分を構成する幹棒１の端部に設けられている、舌片状アゲ部２の先端部に幹棒１と同じ軸方向の切れ目２１を設けて、先端部分が切れ目２１を境界にして上下または左右にずれた二つの細長片（２１１、２１２）からなる構造にした養殖用ほたて貝耳吊用ハンガー。【選択図】      図２
2006280329.tif 000002
【特許請求の範囲】
【請求項１】
ほたて貝耳吊用ハンガーの、貝の取り付け部分を構成する幹棒１の端部に設けられている、舌片状アゲ部２の先端部に幹棒１と同じ軸方向の切れ目２１を設けて、先端部分が切れ目２１を境界にして上下または左右にずれた二つの細長片（２１１、２１２）からなる構造にしたことを特徴とする養殖用ほたて貝耳吊用ハンガー。
【請求項２】
ほたて貝耳吊用ハンガーが、幹棒状の形態をしたものであり、幹棒先端部が帆立貝の小孔に容易に挿入できるように幹棒１の中心部より細くした構造１１からなることを特徴とする請求項1に記載の養殖用ほたて貝耳吊用ハンガー。
【発明の詳細な説明】
【技術分野】
【０００１】
本発明は、海水の揺動、ホタテ貝の成長、およびハンガーの材料疲労においても、ほたて貝が離脱することが比較的少ない構造のほたて貝耳吊用ハンガーに関する。
【背景技術】
【０００２】
現在、ほたて貝の大部分は、養殖によるものが殆どである。そのほたて貝の養殖の方法は、細ひも又はロープのような母線４にほたて貝耳吊用ハンガーを略等間隔にとりつけ、そのハンガーにほたて貝の稚貝５を対象に取り付けるのが一般的である。詳細には、ほたて稚貝の耳部に穿孔による孔部を設けて、その孔部にハンガーの幹棒の末端にアゲ部２を、その幹棒の軸方向に一致するように設けた構造のほたて貝耳吊用ハンガーを用いており、その幹棒を稚貝の孔部に挿通すると、アゲ部の毛羽たちにより、稚貝が容易に離脱しないような構造になっている。
しかし、海水の揺動や、貝の成長、あるいは、海中という特殊な環境下における材料の疲労、というような予期せぬ現象が加わり、長期間ほたて貝耳吊用ハンガーを使用すると、特にアゲ部の材料疲労により、ほたて貝がハンガーから離脱する現象が見られる。
【０００３】
養殖用ほたて貝耳吊用ハンガーとしては、弾性針金を加工して、貝を吊り下げるような構造にすることは公知である（例えば、特許文献1参照）。
【０００４】
【特許文献１】特開昭５６−１０２７４４号公報
【０００５】
また、母線に係止された、先端部に塊状掛止部を有する合成樹脂製細線を、ほたて稚貝の耳部に穿孔した小孔に挿通して、ほたて貝の脱離を防止することも公知である（例えば、特許文献２参照）。
【０００６】
【特許文献２】特開平４−７１４３６号公報
【発明の開示】
【発明が解決しようとする課題】
【０００７】
最近のほたて貝耳吊用ハンガーの典型的な使用例を見ると、図３に示すような態様で利用する場合が多い。それは合成樹脂製幹棒１の中央部に対の母線掛止部３を有し、その線棒１の両端部に、アゲ部２を設けた構造のほたて貝耳吊用ハンガーが使用されるようになっている。このほたて貝耳吊用ハンガーは、母線である細ひも４に固定が容易であるばかりでなく、ほたて稚貝５の穿孔部６に挿通することが簡単にできる理由で、ほたて稚貝の取り付けが容易なために比較的重宝に用いられている。
しかし、単純なハンガー幹棒１の軸方向と、アゲ部２の軸方向が一致する、従来の構造のほたて貝耳吊用ハンガーは、貝の重み、海水の波動による貝、ロープ、又はハンガー等の揺動による、合成樹脂製ほたて貝耳吊用ハンガーの材料疲労や、クリープ現象により、アゲ部が破損することがあり、アゲ部２がハンガー幹棒１に密着するために、アゲ部２の機能を果たさなくなり、稚貝がハンガーから離脱することがしばしば見られ、その対策が求められている。その対策の一つとして、本発明者は、ほたて貝耳吊用ハンガーの幹棒１の端部に設けられている、アゲ部２の軸方向の向きを、ハンガー幹棒１の軸方向から左右方向いずれかにずらすような構造にすることにより、稚貝の離脱を防ぐという技術課題を解決することができたものであり、これを既に特許出願済（特願２００３−３２３７２４号）である。しかし、さらに稚貝の離脱を完全に防ぐための対策が求められている。
【課題を解決するための手段】
【０００８】
本発明は、ほたて貝耳吊用ハンガーの、貝の取り付け部分を構成する幹棒１の端部に設けられている、舌片状アゲ部２の先端部に幹棒１と同じ軸方向の切れ目２１を設けて、先端部分が切れ目２１を境界にして上下または左右にずれた二つの細長片（２１１、２１２）からなる構造にしたことを特徴と養殖用ほたて貝耳吊用ハンガーとすることにより稚貝の離脱を大幅に防ぐことができるという技術課題を解決したものである。
【発明の効果】
【０００９】
本発明のほたて貝耳吊用ハンガーは、構造が比較的簡単であり、成形が容易であり、ほたて貝耳吊用ハンガーの母線への取り付け作業およびハンガーへの稚貝の固定作業も容易にできるばかりでなく、ほたて貝の養殖において、稚貝の脱離が極めて少ないために、経済的な効果においても従来のものより優れている。
【発明を実施するための最良の形態】
【００１０】
本発明のほたて貝耳吊用ハンガーの材料およびその構造の概要について、図面を参照にしながら詳細に説明すると以下のとおりである。
本発明のほたて貝耳吊用ハンガー８の全体の構造および使用態様は、図３に示すような構造を取り得る。ほたて貝耳吊用ハンガー８の大きさは、ほたて貝の大きさ、海水の状況により任意に決め得るが、普通ハンガー幹棒１の長さは、最高２０ｃｍ程度のものまで任意に設計できる。しかし、稚貝の大きさを考慮すれば、長さが５〜１０ｃｍ程度のものが一般サイズとして推奨され得るが、好適には、長さが約７ｃｍ程度の長さのものが実用的な普及サイズとすることもできる。このハンガー８は、幹棒１の左右対象に舌片状アゲ部２を設けた典型的なものであるが、勿論、幹棒１の一端部のだけに舌片状アゲ部２を設けた片側構造のものであることも可能であり、これは設計変更の範囲内のものである。
幹棒の直径は、１〜５ｍｍ程度のものが一般的に用いられる可能な範囲であるが、普及サイズとしては、約１．２ｍｍ、１．５ｍｍ、１．８ｍｍ、２ｍｍなどの大きさのものが実用的である。このほたて貝耳吊用ハンガー８のサイズは、最終的には、ほたて貝の養殖環境に応じて、養殖業者の需要に応じて決めるようなことであるが、一応、大量に供給する標準サイズの例である。幹棒１の断面は、円形、直方形、長方形、だ円形といった種々の形態を取りうる、稚貝を取り付ける場合の力学的な構造を考慮して、任意に、取り得るが、通常はだ円形、略長方形の断面構造をとることも可能である。
【００１１】
本発明のほたて貝耳吊用ハンガー８の構造は、ハンガー幹棒１の片面又は両末端は、細ひもやロープからなる母線４に容易に差し込めるように、円錐形や丸型のような、幹棒１の中心部の直径よりやや細い直径の鋭利な末端構造１１になっていることが推奨される。この鋭利な末端構造は、稚貝の耳部に穿孔した孔部６に対して挿通が容易になり、稚貝の取り付け作業の能率を上げるために寄与する。その幹棒１の端部１１から、テーパー状１３を経て、中心部側に少し寄った箇所に、舌片状アゲ部２が設けられている。この舌片状アゲ部２の先端部に幹棒１と同じ軸方向の切れ目２１を設けて、先端部分が切れ目２１を境界にして上下または左右にずれた二つの細長片（２１１、２１２）からなる構造のものが取り付けられている。さらに、ハンガー幹棒の中心部には、略ハンガーを取り付ける母線４の間隔に対の滑り止め突起部（母線掛止部）３が設けられている。
なお、本発明の舌片状アゲ部２の構造を取り付けたハンガーは、図３に示すような棒状形態の例についてだけ述べたが、このような棒状形態のハンガーだけに採用するという限定的に解釈されるものではなく、舌片状アゲ部２の構造を採用する公知の種々の形態のほたて貝耳吊用ハンガーに適用できるものであり、すべて本発明の範囲に含まれる。
【００１２】
本発明のほたて貝耳吊用ハンガーの舌片状アゲ部２の構造を図１に基づいて詳細に説明すると、ほたて貝耳吊用ハンガーの、貝の取り付け部分を構成する幹棒１の端部に設けられている、舌片状アゲ部２の先端部に幹棒１と同じ軸方向の切れ目２１を設けて、先端部分が切れ目２１を境界にして上下または左右にずれた二つの細長片（２１１、２１２）からなる構造になっている。幹棒１の端部を稚貝の孔部６を挿通するとき、毛羽たちの舌片状アゲ部２が一旦幹棒1に戻り、完全な棒状態になり、孔部６に容易に挿通することができるという有意な構造において、その舌片状アゲ部２がその稚貝の挿通の為の支障となることはない。舌片状アゲ部２の詳細な構造は舌片状アゲ部２の形状のものも推奨されるが、図１の側面図１Ｂに示したとおり、幹棒１を少し長めにテーパー１２を設けたように末端方向に切削をして設け、それを適当な長さに先端部および周辺部を少し切断および切削加工を施して、長細片状の上向き部（２１１）および下向き部（２１２）のように、強固なストランド状に細工した構造のものも、本発明の範囲に含まれる設計変更内の一実施態様である。長細片状が左右に分離した構造を採ることも本発明の範囲に含まれる設計変更内の一実施態様である。舌片状アゲ部２の大きさは、幹棒１の直径や長さにより決まるが、舌片状アゲの長さは、２〜２０ｍｍ内で、任意に決めることできる。それを切削加工して図１の１Ｂ側面図にみるような先端部をおよび周辺部を加工してもその長細片の長さは２〜２０ｍｍ程度あればたりる。
【００１３】
ほたて貝耳吊用ハンガーの材料は、金属、プラスチック、木材など、多くの材料が用いられるが、一般には、プラスチックが最も適している。プラスチック材料は、ポリエチレン、ポリプロピレン、ポリアセタール、ポリカーボネート、ポリエステル、ポリサルホン、ポリフェニレンサルファイド、ポリアリレート、ポリアミド、などの各種汎用のプラスチック材料が強度、耐久性、耐水性、再処理性、無毒性、価格などの事情を考慮して使用される。特にエンジニアプラスチックの範ちゅうに属する材料であれば任意に使用できるので、これらの例示のプラスチック材料に限定されるものではない。特に耐久性、成形性、価格などの面を総合的にみれば、ポリアミド樹脂が適している。これは普通にナイロン６、６６、１１、１２、４６、６１０という商品名で容易に入手できる材料である。ナイロン１１、１２などは吸水性が小さく幹棒に適している。
【００１４】
本発明のほたて貝耳吊用ハンガー８の成形方法は、プラスチック材料の幹棒を、切削、溶着のような二次加工により容易に製造することができる。しかし、本件発明のほたて貝耳吊用ハンガー８は一時期に多量に使用されることもありうるという事情からすれば、実用的には、本発明の幹棒１の末端部に特殊な舌片状アゲ部２を有するハンガーを一度に多数個成形する、いわゆる多数個取り金型を作り、多数のほたて貝耳吊用ハンガーが連結した製品を、一度に多量に射出成形することが理想的な製造方法である。このように、ほたて貝耳吊用ハンガーが多数連結した構造の製品を作ることは、その後母線取り付けガンを使用して、容易に取り付けるために有益である。射出成形されたほたて貝耳吊用ハンガーを、熱処理、アーニリング、塗布、塗装等の後処理により、製品の強度や品質を上げることは任意に採用することである。
【実施例】
【００１５】
以下、本発明の有効性に関する評価を、実施例を挙げて説明をするが、本発明はこの態様に限定されるものではない。
【００１６】
（ほたて貝耳吊用ハンガーの成形）
本発明のほたて貝耳吊用ハンガー８を、樹脂材料として、ナイロン１１を用いて、図１の側面図１Ｂに見るよう末端構造を成形できる多数個取り金型を備えた射出成形により、ほたて貝耳吊用ハンガーの多数が一体に連結した状態のユニットを、一度に多数個成形をした。
そのハンガーの全体の形状は、先行技術にみられるような種々の形態のものを採り得るが、本発明の実施例では、最も典型的なほたて貝耳吊用ハンガーとして、図３に示す幹棒型であり、幹棒１の長さ７ｃｍ、太さ約１．５ｍｍのものを選び、その両端部に本発明の舌片状アゲ部を対で1個有し、中央部に母線に取り付ける対のずれ又は滑り止め突起３を有するものを使用した。
【００１７】
（海水揺動試験）
このほたて貝耳吊用ハンガーを市販の細ひもからなる母線４に、約１０ｃｍの等間隔で取り付け、ほたて貝の稚貝５を吊るして、強制波動を加えて、海水揺動による、稚貝の脱離試験をした。比較対照の例として、従来型のアゲ部を有するほたて貝耳吊用ハンガーとを対比した。
この試験は、時間の経過と、稚貝５０個について脱離個数を調べた。
【００１８】
実施例１
(海水揺動日数と稚貝の脱落個数)
「１日後」    「３日後」    「１０日後」    「１月後」    「３月後」
本発明  ０            ０          ０            ０            ０  
比較例  １            １          １            ４            ８  
以上のとおり、本発明のほたて貝耳吊用ハンガー８は、そのアゲ部の構造を工夫した結果、稚貝５の脱離を著しく抑えることができる。
【図面の簡単な説明】
【００１９】
【図１】本件発明のほたて貝耳吊用ハンガーの幹棒1と舌片状アゲ部２の要部の図であり、１Ａは正面図、１Ｂは側面図、１Ｃは背面図である。
【図２】本件発明のほたて貝耳吊用ハンガーの概要の立体図。
【図３】典型的な棒状ほたて貝耳吊用ハンガーの養殖現場の使用例。
【符号の説明】
【００２０】
１    幹棒
２    舌片状アゲ部
２１  舌片先端部分切れ目
２１１  長細片状の上向き部
２１２  長細片状の下向き部
３    母線掛止部
４    母線
５    稚貝
６    稚貝の孔部
８    ほたて貝耳吊用ハンガー全体
【図１】
2006280329.tif 000003
【図２】
2006280329.tif 000004
【図３】
2006280329.tif 000005